(57)【要約】【課題】所望の音響特性を得られる調整を容易に行うことのできる「オーディオシステム」を提供する。【解決手段】楽曲Ｚの再生を中にユーザの音響特性の調整処理の開始の指示操作（５０１）が発生すると、調整ウインドウの表示（５１１）を行うと共に、現在の再生位置を基準位置として保存する（５２１）。以降は、調整ウインドウに対するユーザの調整操作（５０２、５０３）が発生する度に、調整操作に応じた音響特性調整値の更新を行うと共に、タイマのスタート/再スタートを行う（５１２、５１３）。そして、ユーザの試し聴き指示操作、または、タイマのタイムアウト（５０４）が発生したならば、現用音源装置に、基準位置のｋ秒前の再生時刻の位置に再生位置をジャンプさせ、基準位置のｋ秒前の再生時刻からの再生を行わせる（５２２）。また、タイマを再スタートさせる（５１４）。【選択図】図５
2017063278.tif 000002
【特許請求の範囲】
【請求項１】
オーディオコンテンツの音声の音響特性を調整して出力するオーディオシステムであって、
記録されたオーディオコンテンツの音声を再生する再生手段と、
前記再生手段が再生した音声の音響特性を、設定された前記音響特性調整値に従って調整する音響特性調整手段と、
前記音響特性調整手段が音響特性を調整した音声を出力する音声出力手段と、
音響特性制御部とを有し、
前記音響特性制御部は、
ユーザの調整操作を受け付け、受け付けた調整操作によって定まる値に前記音響特性調整値を更新する更新処理を行う調整値更新手段と、
前記調整値更新手段が前記更新処理を開始する際に、前記再生手段が現在再生している前記オーディオコンテンツの再生位置を基準位置に設定する基準位置設定手段と、
前記調整値更新手段が前記音響特性調整値を更新したときに、前記再生手段に、前記基準位置として設定されている再生位置、または、前記基準位置が表す再生位置より再生時刻が所定時間前の再生位置から、前記オーディオコンテンツの再生を行わせる再生位置変更手段とを有することを特徴とするオーディオシステム。
【請求項２】
オーディオコンテンツの音声の音響特性を調整して出力するオーディオシステムであって、
記録されたオーディオコンテンツの音声を再生する再生手段と、
前記再生手段が再生した音声の音響特性を、設定された前記音響特性調整値に従って調整する音響特性調整手段と、
前記音響特性調整手段が音響特性を調整した音声を出力する音声出力手段と、
音響特性制御部とを有し、
前記音響特性制御部は、
ユーザの調整操作を受け付け、受け付けた調整操作によって定まる値に前記音響特性調整値を更新する処理を繰り返す更新処理を行う調整値更新手段と、
前記調整値更新手段が前記更新処理を開始する際に、前記再生手段が現在再生している前記オーディオコンテンツの再生位置を基準位置に設定する基準位置設定手段と、
前記調整値更新手段が前記更新処理を実行している期間中に、当該調整値更新手段が前記調整操作を受け付けた後に所定期間以上、新たな調整操作を受け付けなかったときに、前記再生手段に、前記基準位置として設定されている再生位置、または、前記基準位置が表す再生位置より再生時刻が所定時間前の再生位置から、前記オーディオコンテンツの再生を行わせる再生位置変更手段とを有することを特徴とするオーディオシステム。
【請求項３】
オーディオコンテンツの音声の音響特性を調整して出力するオーディオシステムであって、
記録されたオーディオコンテンツの音声を再生する再生手段と、
前記再生手段が再生した音声の音響特性を、設定された前記音響特性調整値に従って調整する音響特性調整手段と、
前記音響特性調整手段が音響特性を調整した音声を出力する音声出力手段と、
音響特性制御部とを有し、
前記音響特性制御部は、
ユーザの調整操作を受け付け、受け付けた調整操作によって定まる値に前記音響特性調整値を更新する処理を繰り返す更新処理を行う調整値更新手段と、
前記調整値更新手段が前記更新処理を開始する際に、前記再生手段が現在再生している前記オーディオコンテンツの再生位置を基準位置に設定する基準位置設定手段と、
前記調整値更新手段が前記更新処理を実行している期間中に、所定のユーザ操作が発生したときに、前記再生手段に、前記基準位置として設定されている再生位置、または、前記基準位置が表す再生位置より再生時刻が所定時間前の再生位置から、前記オーディオコンテンツの再生を行わせる再生位置変更手段とを有することを特徴とするオーディオシステム。
【請求項４】
請求項１、２または３記載のオーディオシステムであって、
前記音声の音響特性は、音声の周波数特性であり、前記音響特性調整値は周波数ゲイン特性を表すものであり、前記音響特性調整手段は、設定された前記音響特性調整値が表す周波数ゲイン特性に従ったゲインで、前記再生手段が再生した音声の各周波数帯域の成分を増幅することを特徴とするオーディオシステム。
【請求項５】
請求項１、２、３または４記載のオーディオシステムであって、
当該オーディオシステムは自動車に搭載される車載型のオーディオシステムであることを特徴とするオーディオシステム。
【請求項６】
記録されたオーディオコンテンツの音声を再生する再生手段と、前記再生手段が再生した音声の音響特性を、設定された前記音響特性調整値に従って調整する音響特性調整手段と、前記音響特性調整手段が音響特性を調整した音声を出力する音声出力手段とを備えたコンピュータによって読み取られ実行されるコンピュータプログラムであって、
前記コンピュータを、
ユーザの調整操作を受け付け、受け付けた調整操作によって定まる値に前記音響特性調整値を更新する更新処理を行う調整値更新手段と、
前記調整値更新手段が前記更新処理を開始する際に、前記再生手段が現在再生している前記オーディオコンテンツの再生位置を基準位置に設定する基準位置設定手段と、
前記調整値更新手段が前記音響特性調整値を更新したときに、前記再生手段に、前記基準位置として設定されている再生位置、または、前記基準位置が表す再生位置より再生時刻が所定時間前の再生位置から、前記オーディオコンテンツの再生を行わせる再生位置変更手段として機能させることを特徴とするコンピュータプログラム。
【請求項７】
記録されたオーディオコンテンツの音声を再生する再生手段と、前記再生手段が再生した音声の音響特性を、設定された前記音響特性調整値に従って調整する音響特性調整手段と、前記音響特性調整手段が音響特性を調整した音声を出力する音声出力手段とを備えたコンピュータによって読み取られ実行されるコンピュータプログラムであって、
前記コンピュータを、
ユーザの調整操作を受け付け、受け付けた調整操作によって定まる値に前記音響特性調整値を更新する処理を繰り返す更新処理を行う調整値更新手段と、
前記調整値更新手段が前記更新処理を開始する際に、前記再生手段が現在再生している前記オーディオコンテンツの再生位置を基準位置に設定する基準位置設定手段と、
前記調整値更新手段が前記調整操作を受け付けた後に所定期間以上、新たな調整操作を受け付けなかったときに、前記再生手段に、前記基準位置として設定されている再生位置、または、前記基準位置が表す再生位置より再生時刻が所定時間前の再生位置から、前記オーディオコンテンツの再生を行わせる再生位置変更手段として機能させることを特徴とするコンピュータプログラム。
【請求項８】
記録されたオーディオコンテンツの音声を再生する再生手段と、前記再生手段が再生した音声の音響特性を、設定された前記音響特性調整値に従って調整する音響特性調整手段と、前記音響特性調整手段が音響特性を調整した音声を出力する音声出力手段とを備えたコンピュータによって読み取られ実行されるコンピュータプログラムであって、
前記コンピュータを、
ユーザの調整操作を受け付け、受け付けた調整操作によって定まる値に前記音響特性調整値を更新する処理を繰り返す更新処理を行う調整値更新手段と、
前記調整値更新手段が前記更新処理を開始する際に、前記再生手段が現在再生している前記オーディオコンテンツの再生位置を基準位置に設定する基準位置設定手段と、
前記調整値更新手段が前記更新処理を実行している期間中に、所定のユーザ操作が発生したときに、前記再生手段に、前記基準位置として設定されている再生位置、または、前記基準位置が表す再生位置より再生時刻が所定時間前の再生位置から、前記オーディオコンテンツの再生を行わせる再生位置変更手段として機能させることを特徴とするコンピュータプログラム。
【請求項９】
請求項６、７または８記載のコンピュータプログラムであって、
前記音声の音響特性は、音声の周波数特性であり、前記音響特性調整値は周波数ゲイン特性を表すものであり、前記音響特性調整手段は、設定された前記音響特性調整値が表す周波数ゲイン特性に従ったゲインで、前記再生手段が再生した音声の各周波数帯域の成分を増幅することを特徴とするコンピュータプログラム。
【発明の詳細な説明】
【技術分野】
【０００１】
本発明は、オーディオシステムにおいて出力音声の音響特性を調整する技術に関するものである。
【背景技術】
【０００２】
出力音声の音響特性を調整する技術としては、ユーザのゲインの調整操作を周波数帯域毎に受け付けてオーディオシステムの周波数ゲイン特性を調整するイコライザを備えたオーディオシステムにおいて、ユーザから周波数ゲイン特性の調整操作を受け付けているときに、ゲインの調整操作が行われた周波数帯域の音声、または、予め登録しておいた楽曲を再生する技術が知られている（たとえば、特許文献１、２）。
【先行技術文献】
【特許文献】
【０００３】
【特許文献１】特開2005-175562号公報
【特許文献２】特開2010-147763号公報
【発明の概要】
【発明が解決しようとする課題】
【０００４】
さて、一般的に、ユーザが音響特性を調整を行うのは、聴いている楽曲の音響特性に不満を感じたときである。
しかしながら、上述した技術によって、ユーザから調整操作が行われたときに、当該調整操作が行われた周波数帯域の音声や楽曲を再生しても、楽曲の音響特性に不満を感じた部分について所望の音響特性が実現できているかどうを一般のユーザが判別することは困難であるため、ユーザが所望の音響特性を得られる調整を行うことは容易ではない。
【０００５】
そこで、本発明は、ユーザが、所望の音響特性を得られる調整を容易に行うことのできるオーディオシステムを提供することを課題とする。
【課題を解決するための手段】
【０００６】
前記課題達成のために、本発明は、オーディオコンテンツの音声の音響特性を調整して出力するオーディオシステムに、記録されたオーディオコンテンツの音声を再生する再生手段と、前記再生手段が再生した音声の音響特性を、設定された前記音響特性調整値に従って調整する音響特性調整手段と、前記音響特性調整手段が音響特性を調整した音声を出力する音声出力手段と、音響特性制御部とを備えたものである。ここで、前記音響特性制御部は、ユーザの調整操作を受け付け、受け付けた調整操作によって定まる値に前記音響特性調整値を更新する更新処理を行う調整値更新手段と、前記調整値更新手段が前記更新処理を開始する際に、前記再生手段が現在再生している前記オーディオコンテンツの再生位置を基準位置に設定する基準位置設定手段と、前記調整値更新手段が前記音響特性調整値を更新したときに、前記再生手段に、前記基準位置として設定されている再生位置、または、前記基準位置が表す再生位置より再生時刻が所定時間前の再生位置から、前記オーディオコンテンツの再生を行わせる再生位置変更手段とを備えている。
【０００７】
このようにオーディオシステムによれば、ユーザが、更新処理を利用して音響特性調整値を更新する度に、更新処理の開始時に再生していた位置、または、当該位置より再生時刻が所定期間前の位置からの、オーディオコンテンツの再生が行われる。したがって、オーディオコンテンツを聴いているときに、その音響特性に不満を感じたユーザが更新処理を開始させ、調整操作により音響特性調整値を更新すると、自動的に、更新後の音響特性調整値によって音響特性が調整された状態で、当該ユーザが音響特性に不満を感じた再生区間の再生が行われることとなる。よって、ユーザは、当該不満を感じた再生区間において、行った音響特性調整値の更新の効果を確認しながら、当該再生区間について所望の音響特性が得られるように音響特性調整値を設定することができるようになる。
【０００８】
また、前記課題達成のために、本発明は、オーディオコンテンツの音声の音響特性を調整して出力するオーディオシステムに、記録されたオーディオコンテンツの音声を再生する再生手段と、前記再生手段が再生した音声の音響特性を、設定された前記音響特性調整値に従って調整する音響特性調整手段と、前記音響特性調整手段が音響特性を調整した音声を出力する音声出力手段と、音響特性制御部とを備えたものである。ここで、前記音響特性制御部は、ユーザの調整操作を受け付け、受け付けた調整操作によって定まる値に前記音響特性調整値を更新する処理を繰り返す更新処理を行う調整値更新手段と、前記調整値更新手段が前記更新処理を開始する際に、前記再生手段が現在再生している前記オーディオコンテンツの再生位置を基準位置に設定する基準位置設定手段と、前記調整値更新手段が前記更新処理を実行している期間中に、当該調整値更新手段が前記調整操作を受け付けた後に所定期間以上、新たな調整操作を受け付けなかったときに、前記再生手段に、前記基準位置として設定されている再生位置、または、前記基準位置が表す再生位置より再生時刻が所定時間前の再生位置から、前記オーディオコンテンツの再生を行わせる再生位置変更手段とを備えている。
【０００９】
また、前記課題達成のために、本発明は、オーディオコンテンツの音声の音響特性を調整して出力するオーディオシステムに、記録されたオーディオコンテンツの音声を再生する再生手段と、前記再生手段が再生した音声の音響特性を、設定された前記音響特性調整値に従って調整する音響特性調整手段と、前記音響特性調整手段が音響特性を調整した音声を出力する音声出力手段と、音響特性制御部とを備えたものである。ここで、前記音響特性制御部は、ユーザの調整操作を受け付け、受け付けた調整操作によって定まる値に前記音響特性調整値を更新する処理を繰り返す更新処理を行う調整値更新手段と、前記調整値更新手段が前記更新処理を開始する際に、前記再生手段が現在再生している前記オーディオコンテンツの再生位置を基準位置に設定する基準位置設定手段と、前記調整値更新手段が前記更新処理を実行している期間中に、所定のユーザ操作が発生したときに、前記再生手段に、前記基準位置として設定されている再生位置、または、前記基準位置が表す再生位置より再生時刻が所定時間前の再生位置から、前記オーディオコンテンツの再生を行わせる再生位置変更手段とを備えている。
【００１０】
これらのオーディオシステムによれば、ユーザは、更新処理を開始し一連の調整操作により音響特性調整値を更新したならば、放置または所定の操作により、更新処理の開始時に再生していた位置、または、当該位置より再生時刻が所定期間前の位置に戻ってのオーディオコンテンツの再生をオーディオシステムに行わせることができる。したがって、オーディオコンテンツを聴いているときに、その音響特性に不満を感じたユーザは、更新処理を開始し一連の調整操作により音響特性調整値を更新したならば、煩雑な操作を行うことなく、オーディオシステムに当該ユーザが音響特性に不満を感じた再生区間の再生を行わせることができる。よって、ユーザは、当該不満を感じた再生区間において、行った一連の音響特性調整値の更新の効果を確認しながら、当該再生区間について所望の音響特性が得られるように音響特性調整値を設定することができるようになる。
【００１１】
ここで、以上のオーディオシステムは、より具体的には、前記音声の音響特性を、音声の周波数特性とし、前記音響特性調整値を周波数ゲイン特性を表すものとし、前記音響特性調整手段を、設定された前記音響特性調整値が表す周波数ゲイン特性に従ったゲインで、前記再生手段が再生した音声の各周波数帯域の成分を増幅するものとしてもよい。
【００１２】
また、以上のオーディオシステムは、自動車に搭載される車載型のオーディオシステムであってもよい。
【発明の効果】
【００１３】
以上のように、本発明によれば、ユーザが、ユーザが、所望の音響特性を得られる調整を容易に行うことのできるオーディオシステムを提供することができる。
【図面の簡単な説明】
【００１４】
【図１】本発明の第１実施形態に係るオーディオシステムの構成を示すブロック図である。
【図２】本発明の第１実施形態に係る音響特性調整処理を示すフローチャートである。
【図３】本発明の第１、２実施形態に係るオーディオシステムの表示例を示す図である。
【図４】本発明の第２実施形態に係る音響特性調整処理を示すフローチャートである。
【図５】本発明の第２実施形態に係る音響特性調整処理の処理例を示す図である。
【発明を実施するための形態】
【００１５】
以下、本発明の実施形態について説明する。
まず、第１の実施形態について説明する。
図１に、本実施形態に係るオーディオ装置の構成を示す。
本実施形態に係るオーディオ装置１は、たとえば自動車に搭載されるオーディオ装置１であり、図示するように、表示装置１０１、入力装置１０２、メモリ１０３、制御部１０４、複数のオーディオソース装置１０５、オーディオプレイヤ１０６、サウンドプロセッサ１０７、オーディオアンプ１０８、複数のスピーカ１０９を備えている。
【００１６】
但し、このようなオーディオ装置１は、ハードウエア的には、ＣＰＵやメモリなどを備えたコンピュータを用いて構成されるものでってもよく、この場合、オーディオプレイヤ１０６や制御部１０４やサウンドプロセッサ１０７などは、当該コンピュータが、所定のコンピュータプログラムを実行することにより実現されるものであってもよい。
【００１７】
ここで、オーディオソース装置１０５は、ＣＤプレイヤやＨＤＤなどのオーディオ装置１が出力する音声の音源となる機器であり、各オーディオソース機器は、オーディオコンテンツを記憶すると共に、記憶しているオーディオコンテンツのデータを出力する機能を備えている。
【００１８】
次に、制御部１０４は、入力装置１０２と表示装置１０１を用いたユーザインタフェース上でユーザの各種操作を受け付けて各部を制御する。
すなわち、たとえば、制御部１０４は、ユーザの選択操作に応じて、複数のオーディオソース装置１０５のいずれかを、現用音源装置に設定し、現用音源装置の、記憶しているオーディオコンテンツのデータのオーディオプレイヤ１０６への転送動作を制御する。
【００１９】
次に、オーディオプレイヤ１０６は、現用音源装置から転送されたオーディオコンテンツのデータを必要に応じて復号し、転送されたオーディオコンテンツのデータが表すオーディオストリームをサウンドプロセッサ１０７に出力する。
【００２０】
また、サウンドプロセッサ１０７は、オーディオプレイヤ１０６から入力するオーディオストリームが表す音声の音響特性を、制御部１０４から設定された音響特性調整値に従って調整する信号処理を行い、信号処理を行った音声を表すオーディオ信号を生成しオーディオアンプ１０８に出力する。ここで、サウンドプロセッサ１０７が行う音響特性を調整する信号処理としては、制御部１０４から設定された音響特性調整値によって示される周波数ゲイン特性で音声信号の周波数特性を調整するイコライズ処理や、予め用意した複数のオーディオフィルタのうちの制御部１０４から設定された音響特性調整値によって識別が示されるオーディオフィルタを用いて音声信号の音響特性を調整するフィルタ処理や、オーディオ信号に制御部１０４から設定された音響特性調整値によって示されるサラウンド効果を音声信号に与えるサラウンド処理や、音像の定位位置を制御部１０４から設定された音響特性調整値によって示される位置に調整する音像位置調整処理や、制御部１０４から設定された音響特性調整値によって示されるエコーその他の音響効果をオーディオ信号に与えるエフェクト処理などがある。
【００２１】
そして、オーディオアンプ１０８はサウンドプロセッサ１０７から入力する各スピーカ用の音声信号を、制御部１０４から設定されたボリューム調整値で定まる増幅率で増幅し、各スピーカ１０９に出力する。
【００２２】
なお、制御部１０４は、入力装置１０２に対するユーザのボリューム変更操作に応じてオーディオアンプ１０８に設定するボリューム調整値を変更する。
以下、このような構成において、制御部１０４が行う音響特性調整処理について説明する。
音響特性調整処理は、ユーザから、上述したイコライズ処理やサラウンド処理や音像位置調整処理やエフェクト処理などの、音響特性の調整処理の開始の指示操作を受け付けたときに開始される。
【００２３】
図２に、この音響特性調整処理の手順を示す。
図示するように、制御部１０４は、音響特性調整処理において、まず、ユーザから調整操作を受け付けるための調整ウインドウを表示装置１０１に表示する（ステップ２０２）。
【００２４】
ここで、図３ａに、ユーザから開始を指示された音響特性の調整処理がイコライズ処理である場合に表示する調整ウインドウを示す。
図示するように、調整ウインドウには、周波数帯域毎に設けたスライダ３０１と、終了ボタン３０２とが設けられている。そして、制御部１０４は、後述のように音響特性調整処理において、このような調整ウインドウでユーザからスライダ３０１の上下移動操作を調整操作として受け付けてスライダ３０１を上下に移動すると共に、スライダ３０１の移動先の位置に応じたゲインに、移動されたスライダ３０１に対応する周波数帯域のゲインを更新する。
【００２５】
図２に戻り、制御部１０４は調整ウインドウを表示したならば、現在、現用音源装置のオーディオコンテンツを再生中であるかどうか、すなわち、現在、現用音源装置のオーディオコンテンツの音声をスピーカ１０９から出力中であるかどうかを判定する（ステップ２０４）。
【００２６】
そして、再生中である場合には、現用音源装置の再生中のオーディオコンテンツの現在の再生位置（再生時刻）を基準位置としてメモリ１０３に保存する（ステップ２０６）。
そして、ユーザの調整操作の発生（ステップ２０８）と、調整終了操作の発生（ステップ２１０）とを監視する。
ここで、図３ａに示した調整ウインドウを表示している場合には、ユーザのスライダ３０１の上下移動操作が調整操作に該当し、ユーザの終了ボタン３０２の操作が調整終了操作に該当する。
【００２７】
そして、ユーザの調整操作が発生した場合には（ステップ２０８）、調整操作に従って、サウンドプロセッサ１０７の音響特性調整値を更新する（ステップ２１０）。すなわち、たとえば、図３ａに示した調整ウインドウ上のスライダ３０１の移動操作を調整操作として受け付けた場合には、サウンドプロセッサ１０７の周波数ゲイン特性における、移動されたスライダ３０１に対応する周波数帯域のゲインを、スライダ３０１の移動先の位置に応じたゲインに変更する音響特性調整値をサウンドプロセッサ１０７に設定する（ステップ２１４）。
【００２８】
そして、現用音源装置にオーディオコンテンツの再生位置をメモリ１０３に保存している基準位置のｋ秒前の再生時刻の位置にジャンプさせることにより（ステップ２１６）、現用音源装置に基準位置のｋ秒前の再生時刻の位置からオーディオコンテンツを再生させる。ここで、ｋ秒は固定的に０秒としてももよいし、予め固定的に設定した時間（たとえば、３秒）であってもよいし、予めユーザの指定に従って設定した時間であってもよい。
【００２９】
そして、ステップ２０８、２１０の監視の処理に戻る。
一方、調整終了操作が発生した場合には（ステップ２１０）、表示装置１０１の表示をステップ２０２で調整ウインドウを表示する前の表示に復帰し（ステップ２１２）、音響特性調整処理を終了する。
【００３０】
次に、ステップ２０４において再生中でないと判定された場合には、ユーザの調整操作の発生（ステップ２１８）と、調整終了操作の発生（ステップ２２０）とを監視する
そして、ユーザの調整操作が発生した場合には（ステップ２１８）、調整操作に従って、サウンドプロセッサ１０７の音響特性調整値を更新し（ステップ２２２）、ステップ２１８、２２０の監視の処理に戻る。
【００３１】
一方、調整終了操作が発生した場合には（ステップ２２０）、表示装置１０１の表示をステップ２０２で調整ウインドウを表示する前の表示に復帰し（ステップ２１２）、音響特性調整処理を終了する。
【００３２】
以上、制御部１０４が行う音響特性調整処理について説明した。
このように音響特性調整処理によれば、ユーザが、音響特性調整値を更新する度に、音響特性の調整処理の開始の指示操作を受け付けたときに再生していた位置、または、当該位置より再生時刻がｋ秒前の位置からのオーディオコンテンツの再生が行われる。したがって、オーディオコンテンツを聴いているときに、その音響特性に不満を感じたユーザが音響特性の調整処理の開始の指示操作を行ってオーディオ装置に表示させた調整ウインドウ上の調整操作により音響特性調整値を更新すると、自動的に、当該ユーザが音響特性に不満を感じた再生区間に戻って、更新後の音響特性調整値に従った音響特性での再生が行われることとなる。よって、ユーザは、当該不満を感じた再生区間に対する、行った音響特性調整値の更新の効果を確認しながら、当該再生区間について所望の音響特性が得られるように音響特性調整値を設定することができるようになる。
【００３３】
以上、本発明の第１の実施形態について説明した。
以下、本発明の第２の実施形態について説明する。
本第２実施形態は、上述した第１実施形態と音響特性調整処理のみが異なる。
図４に、本第２実施形態に係る音響特性調整処理の手順を示す。
図示するように、本第２実施形態に係る音響調整処理において、制御部１０４は、まず、ユーザから調整操作を受け付けるための調整ウインドウを表示装置１０１に表示する（ステップ４０２）。
【００３４】
但し、本第２実施形態では、図３ｂに示すように、調整ウインドウとして、図３ａに示した第１実施形態に係る調整ウインドウに試し聴きボタン３０３を追加したものを用いる。
【００３５】
そして、現在、現用音源装置のオーディオコンテンツを再生中であるかどうかを判定する（ステップ４０４）。
そして、再生中である場合には、現用音源装置の再生中のオーディオコンテンツの現在の再生位置（再生時刻）を基準位置としてメモリ１０３に保存する（ステップ４０６）。
また、所定のタイムアウト時間（たとえば、３秒）を設定したタイマをスタートする（ステップ４０８）。
そして、ユーザの調整操作の発生（ステップ４１０）と、試し聴き指示操作の発生（ステップ４１２）と、タイマのタイムアウトの発生（ステップ４１４）と、調整終了操作の発生（ステップ４１６）とを監視する。
【００３６】
ここで、図３ｂに示した調整ウインドウを表示している場合には、ユーザのスライダ３０１の上下移動操作が調整操作に該当し、ユーザの試し聴きボタン３０３の操作が試し聴き指示操作に該当し、ユーザの終了ボタン３０２の操作が調整終了操作に該当する。
【００３７】
そして、ユーザの調整操作が発生した場合には（ステップ４１０）、調整操作に従って、サウンドプロセッサ１０７の音響特性調整値を更新する（ステップ４２０）。そして、ステップ４０８に戻ってタイマを再スタートした上で、ステップ４１０-４１６の監視に進む。
【００３８】
また、試し聴き指示操作（ステップ４１２）と、タイマのタイムアウト（ステップ４１４）のいずれかが発生した場合には、現用音源装置にオーディオコンテンツの再生位置をメモリ１０３に保存している基準位置のｋ秒前の再生時刻の位置にジャンプさせる（ステップ４２２）。そして、ステップ４０８に戻ってタイマを再スタートした上で、ステップ４１０-４１６の監視に進む。
【００３９】
一方、調整終了操作が発生した場合には（ステップ４１６）、表示装置１０１の表示をステップ２０２で調整ウインドウを表示する前の表示に復帰し（ステップ４１８）、音響特性調整処理を終了する。
【００４０】
次に、ステップ２０４において再生中でないと判定された場合には、ユーザの調整操作の発生（ステップ２２４）と、調整終了操作の発生（ステップ４２６）とを監視する
そして、ユーザの調整操作が発生した場合には（ステップ４２４）、調整操作に従って、サウンドプロセッサ１０７の音響特性調整値を更新し（ステップ４２８）、ステップ４２４、４２６の監視の処理に戻る。
【００４１】
一方、調整終了操作が発生した場合には（ステップ４２６）、表示装置１０１の表示をステップ４０２で調整ウインドウを表示する前の表示に復帰し（ステップ４１８）、音響特性調整処理を終了する。
【００４２】
以上、第２実施形態に係る音響特性調整処理について説明した。
ここで、図５に第２実施形態に係る音響特性調整処理の処理例を示す。なお、図中のPTは再生位置を表す。
図示するように、現用音源装置で楽曲Ｚの再生を開始してから、nn分mm秒の再生位置まで再生が進んだ時点で、ユーザの音響特性の調整処理の開始の指示操作（５０１）が発生すると、調整ウインドウの表示（５１１）を行うと共に、基準位置として楽曲Ｚのnn分mm秒をメモリ１０３に保存する（５２１）。
【００４３】
そして、以降は、ユーザの調整操作（５０２、５０３）が発生する度に、調整操作に応じたサウンドプロセッサ１０７の音響特性調整値の更新を行うと共に、タイマのスタートまたは再スタートを行う（５１２、５１３）。
【００４４】
そして、楽曲Ｚの再生が、（nn分mm秒）+x秒の再生位置まで進んだ時点で、ユーザの試し聴き指示操作、または、タイムアウト（５０４）が発生したならば、現用音源装置に、再生位置を、基準位置のｋ秒前の再生時刻位置である楽曲Ｚの（nn分mm秒）-ｋ秒に、再生位置をジャンプさせる（５２２）。また、タイマを再スタートさせる（５１４）。
【００４５】
この結果、現用音源装置から、楽曲Ｚの（nn分mm秒）-ｋ秒の再生時刻からの再生が開始される。
そして、以降は、ユーザの調整終了指示が発生するまで、以上と同様に、ユーザの調整操作（５０５）に応答したサウンドプロセッサ１０７の音響特性調整値の更新及びタイマの再スタート（５１５）や、ユーザの試し聴き指示操作、または、タイムアウトに応答した楽曲Ｚの（nn分mm）-ｋ秒の再生時刻位置への再生位置のジャンプを行う。
【００４６】
また、ユーザの調整終了指示（５０６）が発生したならば、表示装置１０１の表示を調整ウインドウの表示を消去する（５１６）。
以上、第２実施形態に係る音響特性調整処理の処理例を示した。
このように、本第２実施形態に係る音響特性調整処理によれば、
このように音響特性調整処理によれば、ユーザは、一連の調整操作により音響特性調整値を更新したならば、試し聴き指示操作または放置により、オーディオ装置１に、音響特性の調整処理の開始の指示操作を受け付けたときに再生していた位置、または、当該位置より再生時刻がｋ秒前の位置からのオーディオコンテンツの再生を行わせることができる。したがって、したがって、オーディオコンテンツを聴いているときに、その音響特性に不満を感じたユーザが音響特性の調整処理の開始の指示操作を行ってオーディオ装置に表示させた調整ウインドウ上の一連の調整操作により音響特性調整値を更新した後に、容易に、オーディオ装置１に、当該ユーザが音響特性に不満を感じた再生区間の再生を行わせることができる。よって、ユーザは、当該不満を感じた再生区間において、行った一連の音響特性調整値の更新の効果を確認しながら、当該再生区間について所望の音響特性が得られるように音響特性調整値を設定することができるようになる。
【００４７】
以上、本発明の第２実施形態について説明した。
なお、以上の各実施形態は、ビデオを再生出力するＡＶ装置においても同様に適用することができる。すなわち、この場合には、ＡＶ装置の構成を、以上に示したオーディオ装置１の構成においてオーディオプレイヤ１０６に代えて、ビデオを再生し、再生した音声をサウンドプロセッサ１０７に出力し、再生した動画を表示装置１０１に表示するビデオプレイヤを設けた構成とすればよい。
【符号の説明】
【００４８】
１…オーディオ装置、１０１…表示装置、１０２…入力装置、１０３…メモリ、１０４…制御部、１０５…オーディオソース装置、１０６…オーディオプレイヤ、１０７…サウンドプロセッサ、１０８…オーディオアンプ、１０９…スピーカ。
【図１】
2017063278.tif 000003
【図２】
2017063278.tif 000004
【図３】
2017063278.tif 000005
【図４】
2017063278.tif 000006
【図５】
2017063278.tif 000007